(57)【要約】【課題】圧縮装置に加圧された空気を送達するポータブルコントローラユニットを提供すること。【解決手段】着用者の体の部位に圧縮を加えるタイプの圧縮装置に加圧された空気を送達するポータブルコントローラユニットであって、該コントローラユニットは、空気圧縮機と、弁機構と、空気圧縮機と弁機構とがその上に取り付けられた成形された一体型マニフォルドベースであって、マニフォルドベースは、ベースの成形中にベース内に形成されたプレナムと、ベースの成形中に形成され、ベースを圧縮装置に解除可能に固定するコネクタ構成要素とを含み、プレナムは、空気圧縮機を弁機構に流体的に接続し、プレナムは、コネクタ構成要素を通って延び、コネクタを弁機構に流体的に接続し、その結果、ベースが圧縮装置に固定されているとき、空気が空気圧縮機からコネクタ構成要素を通って圧縮装置に送達され得る、マニフォルドベースとを備えている。【選択図】図１
2010082441.tif 000002
【特許請求の範囲】
【請求項１】
着用者の体の部位に圧縮を加えるタイプの圧縮装置に加圧された空気を送達するポータブルコントローラユニットであって、該コントローラユニットは、
空気圧縮機と、
弁機構と、
該空気圧縮機と該弁機構とがその上に取り付けられた成形された一体型マニフォルドベースであって、該マニフォルドベースは、該ベースの成形中に該ベース内に形成されたプレナムと、該ベースの成形中に形成され、該ベースを該圧縮装置に解除可能に固定するコネクタ構成要素とを含み、該プレナムは、該空気圧縮機を該弁機構に流体的に接続し、該プレナムは、該コネクタ構成要素を通って延び、かつ該コネクタを該弁機構に流体的に接続し、その結果、該ベースが該圧縮装置に固定されているとき、空気が該空気圧縮機から該コネクタ構成要素を通って該圧縮装置に送達され得る、マニフォルドベースと
を備えている、ポータブルコントローラユニット。
【請求項２】
前記コネクタ構成要素は前記圧縮装置にスナップ接続するように組み立てられる、請求項１に記載のポータブルコントローラユニット。
【請求項３】
前記コネクタ構成要素は前記ベースから突き出る、請求項２に記載のポータブルコントローラユニット。
【請求項４】
前記コネクタ構成要素は球状の形状を有する、請求項３に記載のポータブルコントローラユニット。
【請求項５】
前記プレナムは概ね前記コネクタ構成要素の中心を通って延びる、請求項４に記載のポータブルコントローラユニット。
【請求項６】
前記ベースおよび前記コネクタコンポーネントは、弾性のある高分子材料から形成される、請求項２に記載のポータブルコントローラユニット。
【請求項７】
前記圧縮装置と組み合せられる請求項１に記載のポータブルコントローラユニットであって、該圧縮装置が前記ポータブルコントローラユニットを該圧縮装置に解除可能に固定するマウントを含む、ポータブルコントローラユニット。
【請求項８】
着用者の体の部位に圧縮を加えるタイプの圧縮装置に加圧された空気を送達するポータブルコントローラユニットを作製する方法であって、該方法は、
ベースを該圧縮装置に解除可能に固定するコネクタ構成要素と、該コネクタ構成要素を通って延びる該ベース内のプレナムとを有する一体型マニフォルドベースを成形することと、
該プレナムと流体連絡するように適合された該マニフォルドベースに空気圧縮機を取り付けることと、
該プレナムと流体連絡するように適合された該ベースに弁機構を取り付けることと
を包含する方法。
【請求項９】
前記プレナムは、入口プレナムと出口プレナムとを含み、該出口プレナムは、前記コネクタ構成要素を通って延び、前記空気圧縮機を取り付けることは、該入口プレナムと流体連絡する該空気圧縮機を取り付けることを含み、前記弁機構を取り付けることは、該空気圧縮機の下流にある該入口プレナムと流体連絡をし、該コネクタ構成要素の上流にある該出口プレナムと流体連絡する該弁機構を取り付けることを含む、請求項８に記載の方法。
【請求項１０】
前記コネクタ構成要素はオス型スナップコネクタ構成要素である、請求項９に記載の方法。
【請求項１１】
前記出口プレナムは、前記マニフォルドベースの長手方向軸に概ね直交して延びる軸に沿って前記オス型コネクタ構成要素を通って延びる、請求項９に記載の方法。
【請求項１２】
前記コネクタ構成要素は、前記マニフォルドベースの第１の面に配置され、前記空気圧縮機を取り付けることは、該第１の面の反対側の該マニフォルドベースの第２の面に該空気圧縮機を取り付けることを包含し、前記弁機構を取り付けることは、該マニフォルドベースの該第２の面に該弁機構を取り付けることを包含する、請求項８に記載の方法。
【請求項１３】
前記プレナムは、入口プレナムと出口プレナムとを含み、該入口プレナムは、第１の位置において前記マニフォルドベースの前記第２の面と、該第１の位置から間隔を空けた第２の位置において該マニフォルドベースの該第２の面とを通って延び、該出口プレナムは、該第１の位置および該第２の位置から間隔を空けた第３の位置において該第２の面を通り、かつ前記コネクタ構成要素を通って延び、前記空気圧縮機を取り付けることは、該マニフォルドベースの該第１の面にある該第１の位置において該入口プレナムと流体連絡する該空気圧縮機を取り付けることを含み、前記弁機構を取り付けることは、該マニフォルドベースの該第１の面にある該第２の位置において該入口プレナムと流体連絡し、該マニフォルドベースの該第２の面にある該第３の位置において該出口プレナムと流体連絡する該弁機構を取り付けることを含む、請求項１２に記載の方法。
【発明の詳細な説明】
【技術分野】
【０００１】
（発明の分野）
本発明は、概して圧縮装置のためのポータブルコントローラユニットに関し、特に深部静脈血栓症などの医学状態を防ぐかまたは治療するために使用するタイプのポータブルコントローラユニットに関する。
【背景技術】
【０００２】
（発明の背景）
動けない患者およびそのような人に関する重大な懸念は、深部静脈血栓症（ＤＶＴ）および末梢性浮腫など、血液内において凝塊を形成する医学的状態である。そのような患者および人は、手術、麻痺、長期間のベッドでの療養などを受ける人を含む。このような血液凝固状態は、概して下肢および／または骨盤の深部静脈において起る。腸骨、大腿、膝窩および脛骨の還流などのこれらの静脈は、心臓へ向かう脱酸素化された（ｄｅｏｘｙｇｅｎａｔｅｄ）血液である。例えば、これらの静脈における血液循環が、病気、けが、または無活動状態により妨げられたとき、血液がたまるかまたはうっ血する傾向がある。血液の静止したうっ血は、血液凝塊の形成に至らしめ得る。この状態に関係する重大な危険は、心臓血管循環に対する妨害である。最も重大なことであるが、血液凝塊の破片は、壊れて解き放され得、移動し得る。肺動脈塞栓が破片から形成され得、主肺動脈をふさぐ可能性があり、それが命にかかわり得る。本発明はまた、リンパ浮腫などの他の状態の治療にも適用され得る。
【０００３】
患者の無活動に関係する状態およびその結果として生じる危険は、例えば脚などの人間の手足に対して断続的な圧力を加え血液循環を助けることによって、コントロールされ得るかまたは軽減され得る。例えば、Ｈａｓｔｙへの特許文献１に開示される装置などの連続圧縮装置が用いられた。連続圧縮装置は、典型的には継ぎ目において一緒に固定される２枚のシート材料から組み立てられ、１つ以上の流体不浸透性袋を画定し、該流体不浸透性袋は、心臓への血液還流を改善するために患者の体部位の周りに連続的圧力を加える圧力源に接続される。膨張可能部分は、薄片によって覆われ、耐久性と患者の快適性とを向上させ、パンクから保護する。圧縮装置の一部として、２枚のシートは、繰り返しの使用の下で時間の経過による圧力の変化に構造的に耐えるように設計される。医療用管材料が圧力源を圧縮装置の通常いくつかの袋に接続するために用いられる。空気圧力源は、最も多くの場合、患者から離れて位置を定められる空気圧縮機である。
【先行技術文献】
【特許文献】
【０００４】
【特許文献１】米国特許第４，０９１，８６４号明細書
【発明の概要】
【課題を解決するための手段】
【０００５】
（発明の概要）
本発明の一局面において、着用者の体の部位に圧縮を加えるタイプの圧縮装置に加圧された空気を送達するポータブルコントローラユニットは、概して空気圧縮機と、弁機構とを備えている。空気圧縮機と弁機構とがその上に取り付けられた成形された一体型マニフォルドベースは、ベースの成形中にベース内に形成されたプレナムと、ベースの成形中に形成され、ベースを圧縮装置に解除可能に固定するコネクタ構成要素とを含む。空気圧縮機を弁機構に流体的に接続するプレナムは、コネクタ構成要素を通って延び、コネクタを弁機構に流体的に接続し、その結果、ベースが圧縮装置に固定されているとき、空気が空気圧縮機からコネクタ構成要素を通って圧縮装置に送達され得る。
【０００６】
本発明の別の局面において、着用者の体の部位に圧縮を加えるタイプの圧縮装置に加圧された空気を送達するポータブルコントローラユニットを作製する方法は、概して、ベースを圧縮装置に解除可能に固定するコネクタ構成要素と、コネクタ構成要素を通って延びるベース内のプレナムとを有する一体型マニフォルドベースを成形することを包含する。空気圧縮機は、プレナムと流体連絡するように適合されたマニフォルドベースに取り付けられる。ベースに取り付けられた弁機構は、プレナムと流体連絡するように適合される。
【０００７】
例えば、本発明は以下の項目を提供する。
（項目１）
着用者の体の部位に圧縮を加えるタイプの圧縮装置に加圧された空気を送達するポータブルコントローラユニットであって、該コントローラユニットは、
空気圧縮機と、
弁機構と、
該空気圧縮機と該弁機構とがその上に取り付けられた成形された一体型マニフォルドベースであって、該マニフォルドベースは、該ベースの成形中に該ベース内に形成されたプレナムと、該ベースの成形中に形成され、該ベースを該圧縮装置に解除可能に固定するコネクタ構成要素とを含み、該プレナムは、該空気圧縮機を該弁機構に流体的に接続し、該プレナムは、該コネクタ構成要素を通って延び、かつ該コネクタを該弁機構に流体的に接続し、その結果、該ベースが該圧縮装置に固定されているとき、空気が該空気圧縮機から該コネクタ構成要素を通って該圧縮装置に送達され得る、マニフォルドベースと
を備えている、ポータブルコントローラユニット。
（項目２）
上記コネクタ構成要素は上記圧縮装置にスナップ接続するように組み立てられる、上記項目に記載のポータブルコントローラユニット。
（項目３）
上記コネクタ構成要素は上記ベースから突き出る、上記項目のいずれか１項に記載のポータブルコントローラユニット。
（項目４）
上記コネクタ構成要素は球状の形状を有する、上記項目のいずれか１項に記載のポータブルコントローラユニット。
（項目５）
上記プレナムは概ね上記コネクタ構成要素の中心を通って延びる、上記項目のいずれか１項に記載のポータブルコントローラユニット。
（項目６）
上記ベースおよび上記コネクタコンポーネントは、弾性のある高分子材料から形成される、上記項目のいずれか１項に記載のポータブルコントローラユニット。
（項目７）
上記圧縮装置と組み合せられる上記項目のいずれか１項に記載のポータブルコントローラユニットであって、該圧縮装置が上記ポータブルコントローラユニットを該圧縮装置に解除可能に固定するマウントを含む、ポータブルコントローラユニット。
（項目８）
着用者の体の部位に圧縮を加えるタイプの圧縮装置に加圧された空気を送達するポータブルコントローラユニットを作製する方法であって、該方法は、
ベースを該圧縮装置に解除可能に固定するコネクタ構成要素と、該コネクタ構成要素を通って延びる該ベース内のプレナムとを有する一体型マニフォルドベースを成形することと、
該プレナムと流体連絡するように適合された該マニフォルドベースに空気圧縮機を取り付けることと、
該プレナムと流体連絡するように適合された該ベースに弁機構を取り付けることと
を包含する方法。
（項目９）
上記プレナムは、入口プレナムと出口プレナムとを含み、該出口プレナムは、上記コネクタ構成要素を通って延び、上記空気圧縮機を取り付けることは、該入口プレナムと流体連絡する該空気圧縮機を取り付けることを含み、上記弁機構を取り付けることは、該空気圧縮機の下流にある該入口プレナムと流体連絡をし、該コネクタ構成要素の上流にある該出口プレナムと流体連絡する該弁機構を取り付けることを含む、上記項目に記載の方法。
（項目１０）
上記コネクタ構成要素はオス型スナップコネクタ構成要素である、上記項目のいずれか１項に記載の方法。
（項目１１）
上記出口プレナムは、上記マニフォルドベースの長手方向軸に概ね直交して延びる軸に沿って上記オス型コネクタ構成要素を通って延びる、上記項目のいずれか１項に記載の方法。
（項目１２）
上記コネクタ構成要素は、上記マニフォルドベースの第１の面に配置され、上記空気圧縮機を取り付けることは、該第１の面の反対側の該マニフォルドベースの第２の面に該空気圧縮機を取り付けることを包含し、上記弁機構を取り付けることは、該マニフォルドベースの該第２の面に該弁機構を取り付けることを包含する、上記項目のいずれか１項に記載の方法。
（項目１３）
上記プレナムは、入口プレナムと出口プレナムとを含み、該入口プレナムは、第１の位置において上記マニフォルドベースの上記第２の面と、該第１の位置から間隔を空けた第２の位置において該マニフォルドベースの該第２の面とを通って延び、該出口プレナムは、該第１の位置および該第２の位置から間隔を空けた第３の位置において該第２の面を通り、かつ上記コネクタ構成要素を通って延び、上記空気圧縮機を取り付けることは、該マニフォルドベースの該第１の面にある該第１の位置において該入口プレナムと流体連絡する該空気圧縮機を取り付けることを含み、上記弁機構を取り付けることは、該マニフォルドベースの該第１の面にある該第２の位置において該入口プレナムと流体連絡し、該マニフォルドベースの該第２の面にある該第３の位置において該出口プレナムと流体連絡する該弁機構を取り付けることを含む、上記項目のいずれか１項に記載の方法。
【０００８】
（摘要）
圧縮装置に加圧された空気を送達するポータブルコントローラユニットは、内部または外部の接続を行うために管材料を使用することを必要としない。コントローラユニットは、空気圧縮機と弁機構とがその上に取り付けられた成形された一体型マニフォルドベースを含む。マニフォルドベースは、ベースの成形中にベース内に形成されたプレナムと、ベースの成形中に形成され、ベースを圧縮装置に解除可能に固定するコネクタ構成要素とを含む。プレナムは、空気圧縮機を弁機構に流体的に接続する。プレナムは、コネクタ構成要素を通って延び、コネクタを弁機構に流体的に接続し、その結果、ベースが圧縮装置に固定されているとき、空気が空気圧縮機からコネクタ構成要素を通って圧縮装置に送達され得る。
【図面の簡単な説明】
【０００９】
他の目的および特徴は以下から部分的に明らかになり、部分的に指摘される。
【図１】図１は、閉鎖性の巻かれた構成の圧縮装置アセンブリの斜視図である。
【図２】図２は、開放性の巻かれていない構成の圧縮装置アセンブリの圧縮装置の平面図である。
【図３】図３は、圧縮装置アセンブリの拡大された部分断面であり、マウントから取り外されたポータブルコントローラユニットを示す。
【図３Ａ】図３Ａは、ポータブルコントローラユニットがマウントに接続されている、図３の拡大された部分図である。
【図４】図４は、圧縮装置の一部分の拡大された部分図である。
【図５】図５は、図４の線５−−５に沿ってとられた圧縮装置の拡大された部分である。
【図６】図６は、圧縮装置の拡大された部分図である。
【００１０】
対応する参照文字は、図面全体を通じて対応する部品を指示する。
【発明を実施するための形態】
【００１１】
（図面の詳細な説明）
ここで図面特に図１を参照すると、着用者の体の部位に圧縮療法を適用する圧縮装置アセンブリが全体的に示される１０。圧縮装置アセンブリは、全体的に１２で示される圧縮装置と、全体的に１４で示され、圧縮装置に取り付けられるポータブルコントローラユニットとを含む。
【００１２】
図１〜図３を参照すると、例示される実施形態の圧縮装置１２は、着用者の脚の周りに巻かれるようなサイズおよび形状で作られる。圧縮装置１２は、３つの間隔を空けて置かれた膨張可能な袋１８を有する膨張可能な部材１６を含む。袋の数および／または構成は、例示的な実施形態において示されるもの以外であり得る。膨張可能な部材１６は向かい合う内側および外側の袋層２０、２２を備え、袋層はそれぞれ上部、中部、下部の密閉線２４に沿って互に固定される。本明細書において用いられるように、用語「内側」および「外側」は、装置１２が脚の周りに巻かれたとき、着用者の脚に関する相対的な位置をいう。密閉線の周囲内の袋層２０、２２の部分と共に密閉線２４は、加圧された空気を保持する能力のあるそれぞれの膨張可能な袋１８を画定する。一実施形態において、各袋層２０、２２は、１枚のシート材料として一体化して形成される。例えば、各袋層２０、２２は、１枚のシートのＰＶＣなどの空気不浸透性材料から形成され得るかまたは薄板にされた材料であり得る。さらに袋層２０、２２は、袋密閉線２４に沿って互いに溶接され得るが、袋線および膨張可能な袋を形成する他の方法も本発明の範囲内である。例示されていないが、圧縮装置１２は、着用者の皮膚に接触する内側層または裏地と、装置の外部面を形成する外側層とを含み得る。他の構成は本発明の範囲内にある。
【００１３】
図１〜図６を参照すると、以下に詳細に説明されるように、それぞれの膨張可能な袋１８と流体連絡する導管２８は、膨張可能な袋から、ポータブルコントローラユニット１４（または「空気圧縮ユニット」）がそこに取り付けられるマウント３２（広い意味で「導管端末」）に延びる。導管２８は、使用時にコントローラユニット１４から膨張可能な袋１８に加圧された空気を送達するために用いられる。各導管２８は、袋層２０、２２を互いに固定する、一対の間隔を空けて置かれた概ね向かい合う導管密閉線３０によって形成される。導管線３０の各対および一対の線の間の袋層２０、２２の部分は、導管２８のうちの１つを画定する。袋密閉線２４の場合のように、袋層２０、２２は、導管密閉線３０に沿って互に溶接される。さらに、例示される実施形態におけるように、各袋１８および関連する導管２８は、単一の連続線によって形成され得る。例えばそして限定することなく、単一の溶接動作によって、袋密閉線２４と、袋１８のうちの１つの対の導管密閉線３０およびそれに関係する導管２８とを含む連続密閉線が形成され得る。
【００１４】
図３〜図６を参照すると、導管をその長さ方向に沿って開いた状態に維持するためにスペーサ３４が各導管２８に受け入れられ、その結果、導管は使用時にコントローラユニット１４との流体連絡を維持する。各スペーサ３４は、概ね細長く、その長さ方向に沿って概ね柔軟性があり、その結果、スペーサは、導管２８の経路に一致することが可能である。図５に最も良く示されるように、各スペーサ３４は、概ねＵ形の断面および導管内の向かい合う袋層２０、２２の間に延びる高さを有する。各スペーサ３４は、その高さ方向に沿って実質的に圧縮不能であるか、または少なくとも通常の条件下においては完全にはつぶれない。この構成によって、コントローラユニットと１つ以上の膨張可能な袋との間の流体の流れを閉じるかさもなければ邪魔をし得る任意の圧縮力（例えば、着用者の脚の重量）が装置１２に加えられても、導管２８は開いたままであり、袋１８はコントローラユニット１４との流体連絡をする状態のままである。一例において、各スペーサ３４は、ＰＶＣまたは押出し成形可能なシリコーンを含むシリコーンから構成され、押出し成形によってまたは原料から形成され得る。
【００１５】
図１〜図３Ａを参照すると、その上にポータブルコントローラユニット１４が取り付けられるマウント３２は、外側の袋層２０の外部表面に固定される。マウント３２は、コントローラユニットを圧縮装置１２に解除可能に取り付けるために、ポータブルコントローラユニット１４のかみ合い可能なオス型コネクタ構成要素４０を受けるための内部メス型コネクタ構成要素３８を含む。本発明の範囲内において、マウント３２が、ポータブルコントローラユニット１４のかみ合い可能なメス型コネクタ構成要素に受けられるためのオス型コネクション構成要素を含み得ることは理解される。例示的実施形態において、オス型コンネクション構成要素４０は、スナップフィット係合によってメス型コネクション構成要素３８において解除可能に保持される。オス型コネクタ構成要素４０はわずかに球状の形状を有し、メス型コネクタ構成要素３８（「レセプタクル」）は対応する形状を有する。オス型コネクタ構成要素４０の最も広い部分は、メス型コネクタ構成要素３８の口より広く、その結果、オス型構成要素がメス型コネクタ構成要素に入ると、オス型構成要素および／またはメス型構成要素は変形される。一旦、オス型コネクタ構成要素４０がメス型コネクタ構成要素３８の中に十分深く挿入されると、オス型コネクタ構成要素４０は、メス型コネクタ構成要素のより広い部分に到達し、その元の形状の方に「パチン」と戻る。コネクタ構成要素３８、４０がその後切り離しに抵抗することは理解される。しかしながら、十分な力が加えられると、コネクタ構成要素３８、４０は、分離され得る。かみ合い可能なスナップフィット構成要素を含む、ポータブルコントローラユニット１４を圧縮装置１２に解除可能に取り付ける他の方法は、本発明の範囲内である。
【００１６】
図３および図３Ａを参照すると、マウント３２の各メス型コネクタ構成要素３８は、マウント内の入口通路４４を介して導管２８のうちの１つに流体的に接続される。一例において、メス型コネクタ構成要素３８および入口通路４４を含むマウント３２は、一体化ユニットとして成形される。マウント３２を形成する他の方法は、本発明の範囲内である。マウント３２は、熱溶接（例えば、無線周波数（ＲＦ）溶接）、接着剤、機械式コネクタまたは他の方法によって、内側の袋層および外側の袋層２０、２２に固定され、その結果、マウント内の入口通路４４は、それぞれの袋導管２８と密閉された流体の連絡をする。例えばそして限定することなく、一方法において、マウント３２は、内側の袋層２０となるシートと共にＲＦ溶接ダイに配置され、シートは、入口通路４４の周りのマウント３２に溶接される。外側の袋層２２およびスペーサ３４（各導管２８に対して１つが形成される）は次に、溶接ダイに配置される。第２の溶接は、内側の袋層と外側の袋層２０、２２とを一緒に接続し、入口通路４４からマウントの周囲まで両方の層をマウント３２に接続して、形成され、それによって、導管２８の小さな部分を形成する。Ｕ形状のダイ部材（図示されていない）がこの手順に用いられ、その結果、導管２８の小さな部分はマウント３２の周囲において開いたままである。第３の溶接ステップは、内側の袋層と外側の袋層２０、２２とを一緒に結合し、各導管２８の残りおよび袋１８を形成する。第３の溶接ステップにおいて、スペーサ３４は、導管２８においてカプセル化される。マウントが溶接部の一部でないときに対して、マウント３２が溶接線に存在するとき、材料の厚さの相違のために２つの異なる溶接ステップが用いられ、導管２８を形成する。しかしながら導管２８は、正しく調節された溶接ダイを用いて１つのステップで形成され得ることが考察される。
【００１７】
図１を参照すると、ポータブルコントローラユニット１４は、空気圧縮機５２および弁機構５４に電気的に接続されたコントローラ５０を含む。構成要素５０、５２、５４の各々は、マニフォルドベース５６（広い意味で、ベース）に取り付けられる。以下に説明されるように、オス型コネクション構成要素４０は、マニフォルドベース５６から外側に延びる。より詳細には、オス型コネクション構成要素４０は、ベース５６の第１の面５８ａ（図３）から外側に延び、コントローラ５０、空気圧縮機５２および弁機構５４は、ベースの反対の第２の面５８ｂ（図３）に取り付けられる。例示された実施形態において、ベース５６の長手方向軸Ａ１は、コネクション構成要素４０の軸Ａ２（１つのみが例示されている）に概ね直交している。コントローラ５０は、動作中、空気圧縮機５２および弁機構５４と通信するマイクロプロセッサであり得る。弁機構５４は、マイクロプロセッサによって制御される複数の弁（例えば、ソレノイド弁）を備え得る。図面に例示されていないが、コントローラユニットは、コントローラ５０に電力を供給するバッテリなどの再充電可能なポータブル電源と、空気圧縮機５２と、弁機構５４とを含み得る。ポータブルコントローラユニット１４の動作は、当該分野において教示される方法と概ね同じ方法で動作し得る。
【００１８】
図１および図３を参照すると、マニフォルドベース５６は、１つの内部入口プレナム（ｐｌｅｎｕｍ）６０と、オス型コネクタ構成要素４０を通って延びる複数の内部出口プレナム６２とを含む。入口プレナム６０は、空気圧縮機５２と弁機構５４とを流体的に接続する。入口プレナム６０は、第１の位置におけるマニフォルドベース５６の第２の面５８ｂから第２の面の第２の位置に延びる。空気圧縮機５２は、第１の位置において入口プレナム６０と流体連絡するベース５６の第２の面５８ｂに取り付けられる。出口プレナム６２は、弁機構５４とオス型コネクタ構成要素４０とを流体的に接続する。出口プレナム６２は、第３の位置においてベース５６の第２の面５８ｂを通って延び、オス型コネクタ構成要素４０を通って軸方向に延び、弁機構５４をそれぞれの導管２８およびそれぞれの袋１８に流体的に接続する。弁機構５４は、第２の位置における入口プレナム６０と第３の位置における出口プレナム６２の両方と流体の連絡をするベース５６の第２の面５８ｂに取り付けられる。一例において、入口プレナム６０を含むマニフォルドベース５６、出口プレナム６２およびオス型コネクタ構成要素４０は、１つの一体化ユニットとして成形される。例えば、ベース５６およびオス型構成要素４０は、弾性のある高分子材料から形成され得る。ベース５６は、本発明の範囲から逸脱することなく他の方法で形成され得ることは理解される。ポータブルコントローラユニット１４はまた、マニフォルドベース５６に取り外し可能に固定され得、コントローラ５０と、空気圧縮機５２と、弁機構５４とを囲むカバー（図示されていない）を含み得る。
【００１９】
例示的な使用法において、圧縮装置アセンブリ１０は、患者の、例えば脚などの手足の周りに巻かれる。当該分野において公知のように、圧縮装置１２の反対側の縁に隣接した、フックおよびループファスナ（図示されていない）などのかみ合い可能なファスナが、着用者の手足に圧縮装置を解除可能に固定するために用いられ得る。圧縮装置１２が着用者の手足に固定される前かまたは後に、ポータブルコントローラユニット１４は、オス型コネクション構成要素４０をマウント３２におけるそれぞれのメス型コネクション構成要素３８の中に挿入することによって、装置に取り付けられる。上記に説明されるように、オス型コネクション構成要素３８は、スナップフィット係合によってメス型コネクション構成要素において保持される。装置１２に取り付けられたコントローラユニット１４によって、コントローラユニットは膨張可能な袋１８と流体連絡する。コントローラ５０は、活動化され、圧縮療法を開始し、それによって空気圧縮機５２は、マニフォルドベース５６において入口プレナム６０を経由して加圧された空気を弁機構５４に送達し、弁機構５４は、３つの出口プレナム６２のうちの１つの中そして導管２８のうちの１つを経由して適切な袋１８の中に空気を方向転換する。ポータブルコントローラユニット１４は、マウント３２から離れるように単にベース５６を引くことによって、圧縮１２から分離され得、その結果、オス型コネクション構成要素４０はマウント３２においてメス型コネクション構成要素３８との係合を外す。例示的な実施形態において、空気を送達するための別個の管材料が除去されることが理解される。圧縮装置１２は使い捨てであり得、１回限りの使用のために組み立てられ得ることが考察される。従って、再充電可能な電源を有するポータブルコントローラユニット１４は、再使用され得、同じタイプの別の圧縮装置１２に取り付けられ得る。
【００２０】
本発明の要素および本発明の好ましい実施形態を紹介するときに、冠詞「ａ」、「ａｎ」、「ｔｈｅ」および「該、前記（ｓａｉｄ）」は、１つ以上の要素があることを意味することが意図される。用語「備えている、包含する（ｃｏｍｐｒｉｓｉｎｇ）」、「含む（ｉｎｃｌｕｄｉｎｇ）」および「有する（ｈａｖｉｎｇ）」は、記載された要素以外の追加の要素があり得ることを含みそして意味することが意図される。
【００２１】
上記を考慮して、本発明のいくつかの目的および他の利点が達成されることが考えられる。
【００２２】
本発明の範囲から逸脱することなく、上記の構造、製品および方法において様々な変更がなされ得るので、上記の説明に含まれそして添付の図面に示されるすべての事項は、例示的であり限定する意味ではないと解釈すべきであることが意図される。
【符号の説明】
【００２３】
１０  圧縮装置アセンブリ
１２  圧縮装置
１４  ポータブルコントローラユニット
１６  膨張可能な部材
１８  膨張可能な袋
２０  内側の袋層
２２  外側の袋層
２４  密閉線
２８  導管
３０  導管密閉線
３２  マウント
３４  スペーサ
３８  メス型コネクタ構成要素
４０  オス型コネクタ構成要素
５２  空気圧縮機
５４  弁機構
５６  マニフォルドベース
６０  入口プレナム
６２  出口プレナム
【図１】
2010082441.tif 000003
【図２】
2010082441.tif 000004
【図３】
2010082441.tif 000005
【図３Ａ】
2010082441.tif 000006
【図４】
2010082441.tif 000007
【図５】
2010082441.tif 000008
【図６】
2010082441.tif 000009